【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
コードが巻き付けられるコード巻き付部と、
該コード巻き付け部の両端部に設けられた第１及び第２の鍔部と、
前記第１及び第２の鍔部の間に形成された収納空間と、
前記コードの一部が前記コード巻き付部に巻き付けられて形成されて前記収納空間に収納されたコード巻回部に連続する前記コードの第１の非巻回部を前記第１の鍔部に係止した状態で前記収納空間の外部に導出させる第１の係止構造と、
前記コード巻回部に連続し且つ前記コードの前記第１の非巻回部とは反対側にある第２の非巻回部を前記第２の鍔部に係止した状態で前記収納空間の外部に導出させる第２の係止構造とを具備し、
前記第１の鍔部は、前記コード巻き付け部の一方の端部とつながる第１の本体壁部と、該第１の本体壁部の外周部分から前記第２の鍔部が位置する方向に延びる第１の周壁部とを有しており、
前記第２の鍔部は、前記コード巻き付け部の他方の端部とつながる第２の本体壁部と、該第２の本体壁部の外周部分から前記第１の鍔部が位置する方向に延びる第２の周壁部とを有しており、
前記第１の周壁部と前記第２の周壁部との間には、前記収納空間及び外部空間と連通し且つ前記コードが通る環状の間隙が形成されており、
前記第１の係止構造は、前記収納空間、前記外部空間及び前記間隙に向かって開口するように前記第１の周壁部に形成されて前記第１の非巻回部が嵌合される第１の溝部と、前記第１の溝部に隣接して設けられ且つ前記コードの前記コード巻き付け部への巻き付けの障害にならない程度の長さで前記第１の周壁部から前記第２の鍔部側に延びる第１の周壁延長部とからなり、
前記第２の係止構造は、前記収納空間、前記外部空間及び前記間隙に向かって開口するように前記第２の周壁部に形成されて前記第２の非巻回部が嵌合される第２の溝部と、前記第２の溝部に隣接して設けられ且つ前記コードの前記コード巻き付け部への巻き付けの障害にならない程度の長さで前記第２の周壁部から前記第１の鍔部側に延びる第２の周壁延長部とからなり、
前記コード巻き付け部の両端部を通る前記コード巻き付け部の仮想中心線を仮想し、次に前記仮想中心線を含み且つ前記第１の鍔部及び第２の鍔部を横切る第１の仮想平面を仮想し、さらに該第１の仮想平面と平行に延び且つ前記コード巻き付け部の外周面と接触し且つ前記第１の鍔部及び第２の鍔部を横切る第２の仮想平面を仮想したときに、前記第１の溝部及び前記第１の周壁延長部並びに前記第２の溝部及び前記第２の周壁延長部は、共に前記仮想中心線から見て前記第２の仮想平面もよりも外側に形成されており、
前記仮想中心線を含み前記第１及び第２の仮想平面と直交する仮想直交平面を仮想したときに、前記第１の溝部及び第２の溝部は前記仮想直交平面が間に位置するように配置されており、
前記第１の溝部及び第２の溝部は、前記第１の溝部に嵌合された前記コードの前記第１の非巻回部が前記収納空間から前記外部空間に向かって延び出る方向と、第２の溝部に嵌合された前記コードの前記第２の非巻回部が前記収納空間から前記外部空間に向かって延び出る方向とが、前記仮想直交平面を基準にして逆向きになるように形成されており、
前記第１の周壁延長部及び前記第２の周壁延長部が、前記仮想直交平面側に設けられていることを特徴とするコードリール。
【請求項２】
前記第２の仮想平面と平行に延び且つ前記第１の溝部の中心を通る第３の仮想平面を仮想したときに、前記第３の仮想平面の両側に位置して前記第１の溝部を囲む一対の溝壁面が前記第３の仮想平面に沿うように形成されており、
前記第２の仮想平面と平行に延び且つ前記第２の溝部の中心を通る第４の仮想平面を仮想したときに、前記第４の仮想平面の両側に位置して前記第２の溝部を囲む一対の溝壁面が前記第４の仮想平面に沿うように形成されていることを特徴とする請求項１に記載のコードリール。
【請求項３】
前記第２の仮想平面よりも前記仮想中心線から見て外側に位置して前記第２の仮想平面と平行に延び且つ前記収納空間の外面に対する接平面となる第５の仮想平面を仮想したときに、前記第３の仮想平面及び前記第４の仮想平面が、前記第２の仮想平面と前記第５の仮想平面との間の中央領域に位置している請求項２に記載のコードリール。
【請求項４】
前記第３の仮想平面と前記第４の仮想平面とが一致するように、前記第１の溝部及び前記第２の溝部が形成されている請求項３に記載のコードリール。
【請求項５】
一致する前記第３の仮想平面と前記第４の仮想平面とが、前記中央領域の中心に位置している請求項３及び４に記載のコードリール。
【請求項６】
前記第１の周壁延長部及び前記第２の周壁延長部が、前記仮想直交平面を越えて延びている請求項１に記載のコードリール。
【請求項７】
前記第１の周壁延長部及び前記第２の周壁延長部は、両者の間に前記コードが通る一定幅寸法の間隙部分が形成されるようにそれぞれの形状が定められている請求項６に記載のコードリール。
【請求項８】
前記一定幅寸法は、前記コードの最大幅寸法よりも僅かに大きく定められている請求項７に記載のコードリール。
【請求項９】
前記第１の溝部を囲む前記一対の溝壁面の一つと前記第１の周壁延長部の前記第１の溝部側の側面とが段差を形成しないように連続しており、
前記第２の溝部を囲む前記一対の溝壁面の一つと前記第２の周壁延長部の前記第２の溝部側の側面とが段差を形成しないように連続している請求項１に記載のコードリール。
【請求項１０】
前記第１及び第２の溝部の深さ寸法と前記第１及び第２の周壁延長部の前記側面の高さ寸法とを加算した値が、前記コードの前記最大幅寸法よりも大きな値になるように、前記深さ寸法及び前記高さ寸法が定められている請求項９に記載のコードリール。
【請求項１１】
前記コード巻き付部は円筒状または円柱状を呈しており、
前記仮想中心線が延びる方向から見た前記第１の鍔部及び前記第２の鍔部の輪郭形状が、それぞれ実質的に円形になるように、前記第１の鍔部及び前記第２の鍔部の形状が定められている請求項１に記載のコードリール。
【手続補正２】
【補正対象書類名】明細書
【補正対象項目名】全文
【補正方法】変更
【補正の内容】
【発明の詳細な説明】
【発明の名称】コードリール
【技術分野】
【０００１】
本発明は、コードの長さを調節するために使用するコードリールに関するものである。
【背景技術】
【０００２】
特開２００５−５１８０５号公報［特許文献１］及び実用新案登録第３１０２２０９号公報［特許文献２］には、イヤホーンやヘッドホーンのコードの途中部分をリールに巻き付けて上側のコードの長さと下側のコードの長さを調節できるようにしたコードリールの構造が示されている。
【０００３】
また、特許出願または実用新案登録出願はなされていないが、市販されているコードリールの中には、２つの半割りケースがヒンジ部を介して開閉可能に結合され、両端にコードが出る貫通孔を備えた中空構造を有するコードリールがある。このコードリールでは、一方の半割りケースにコードの一部を巻き付けた後、２つの半割りケースを閉じ、両端の貫通孔からコードを外部に出すようにしている。またゴム製のコードリールで、コードが巻き付けられる外周面に角部を有しないコード巻き付部と、このコード巻き付け部の両端部に設けられた変形可能な第１及び第２の鍔部と、第１及び第２の鍔部の間に形成された収納空間とを備えたコードリールも市販されている。このコードリールでは、変形前の第１及び第２の鍔部は、向かい合う外縁部が接触して１つのケースを構成している。そしてコードをコード巻き付け部に巻き付ける際には、第１及び第２の鍔部を変形してラッパ形状とする。そして巻きつけが終了した後に、再び第１及び第２の鍔部を元の形状に戻すようにこのコードリールは構成されている。そしてこのコードリールでは、コード巻き付部の径方向に上側のコードと下側のコードとが延びるように、２つのコード引き出し用開口部が、組み合わされた第１及び第２の鍔部の間に形成される。
【特許文献１】特開２００５−５１８０５号公報
【特許文献２】実用新案登録第３１０２２０９号公報
【発明の開示】
【発明が解決しようとする課題】
【０００４】
しかしながら上側のコードの長さと下側のコードの長さを調節することを可能にする構造の従来のコードリールは、構造が複雑になる上、製造価格が高くなる問題がある。また２つ半割りケースの一方にコードを巻きつけるタイプのコードリールでは、半割りケースが硬質のプラスチックで形成されているため、コードを巻きつけたときに、半割りケースの角部でコードに無理な力が加わり、長い間使用すると、コード内部において断線が発生する問題があった。さらにゴム製の変形可能なコードリールは、材料費が高いために、製品価格が高くならざるを得ず、その構造から形状が大きくならざるを得ない問題があった。またこのゴム製のコードリールでは、径方向に対向する２つのコード引き出し用開口部からコードを引き出すため、コード巻き付部に巻き付けたコードを大きく変形させる必要があり、コードに不要なストレスが加わる問題があった。
【０００５】
本発明の目的は、コードに不要なストレスを加えることがなく、しかも簡単な構造でコードの一部を巻き取ることができるコードリールを提供することにある。
【０００６】
本発明の他の目的は、安価に製造できるコードリールを提供することにある。
【課題を解決するための手段】
【０００７】
本発明のコードリールは、コードが巻き付けられるコード巻き付部と、このコード巻き付け部の両端部に設けられた第１及び第２の鍔部とを有している。そして第１及び第２の鍔部の間には、収納空間が形成されている。さらに第１及び第２の鍔部には、第１及び第２の係止構造が設けられている。第１の係止構造は、コード巻き付部にコードが巻き付けられて形成されて収納空間に収納されたコード巻回部に連続するコードの第１の非巻回部を、第１の鍔部に係止した状態で収納空間の外部に導出させるように構成されている。また第２の係止構造は、コード巻回部に連続し且つコードの第１の非巻回部とは反対側にある第２の非巻回部を第２の鍔部に係止した状態で収納空間の外部に導出させるように構成されている。
【０００８】
第１の鍔部は、コード巻き付け部の一方の端部とつながる第１の本体壁部と、この第１の本体壁部の外周部分から第２の鍔部が位置する方向に延びる第１の周壁部とを有している。また第２の鍔部は、コード巻き付け部の他方の端部とつながる第２の本体壁部と、この第２の本体壁部の外周部分から第１の鍔部が位置する方向に延びる第２の周壁部とを有している。そして第１の周壁部と第２の周壁部との間には、収納空間及び外部空間と連通し且つコードが通る環状の間隙が形成されている。
【０００９】
また、前述の第１の係止構造は、第１の溝部と第１の周壁延長部とを備えている。第１の溝部は、収納空間、外部空間及び環状の間隙に向かって開口するように第１の周壁部に形成されて、第１の非巻回部が嵌合される構造を有している。また第１の周壁延長部は、第１の溝部に隣接して設けられている。そして第１の周壁延長部は、コードをコード巻き付け部に巻き付ける際の障害にならない程度の長さで、第１の周壁部から第２の鍔部側に延びている。
【００１０】
第２の係止構造も、第２の溝部と第２の周壁延長部とを備えている。第２の溝部は、収納空間、外部空間及び環状の間隙に向かって開口するように第２の周壁部に形成されて、第２の非巻回部が嵌合される構造を有している。また第２の周壁延長部は、第２の溝部に隣接して設けられている。さらに第２の周壁延長部は、コードをコード巻き付け部に巻き付ける際の障害にならない程度の長さで、第２の周壁部から第１の鍔部側に延びている。
【００１１】
本発明を特定するためには、まずコード巻き付け部の両端部を通るコード巻き付け部の仮想中心線を仮想する。次にこの仮想中心線を含み且つ第１の鍔部及び第２の鍔部を横切る第１の仮想平面を仮想する。さらに第１の仮想平面と平行に延び且つコード巻き付け部の外周面と接触し且つ第１の鍔部及び第２の鍔部を横切る第２の仮想平面を仮想する。このように仮想した状態で、本発明では、第１の溝部及び第１の周壁延長部並びに第２の溝部及び第２の周壁延長部を、共に仮想中心線から見て第２の仮想平面もよりも外側に形成する。また仮想中心線を含み第１及び第２の仮想平面と直交する仮想直交平面を仮想したときに、第１の溝部及び第２の溝部を仮想直交平面が間に位置するように配置する。言い換えると、本発明では、第１の溝部及び第２の溝部を仮想直交平面の両側に別々に配置する。そして第１の溝部及び第２の溝部を、第１の溝部に嵌合されたコードの第１の非巻回部が、収納空間から外部空間に向かって延び出る方向と、第２の溝部に嵌合されたコードの第２の非巻回部が収納空間から外部空間に向かって延び出る方向とが、仮想直交平面を基準にして逆向きになるように形成する。また第１の周壁延長部及び第２の周壁延長部を、仮想直交平面側に設ける。
【００１２】
本発明のコードリールによれば、第１の溝部及び第１の周壁延長部並びに第２の溝部及び第２の周壁延長部を、共に仮想中心線から見て第２の仮想平面もよりも外側に形成したことにより、コードの第１及び第２の非巻回部がそれぞれ上下方向に延びる状態で使用されたときに、上下方向に延びるコードは、コード巻き付け部の中心を通ることがなくなるので、コード巻回部から連続して延びるコードの第１及び第２の非巻回部を第１及び第２の溝部に嵌合させるまでの間における第１及び第２の非巻回部の形状をコードの内部導体に無理なストレスが加わるような形状にする必要が無くなる。すなわちコードの第１及び第２の非巻回部を大きな曲率で曲げることなく、内部空間から外部空間へとコードを導き出すことができる。その結果、本発明のコードリールを使用した場合には、簡単にコードを巻き付けることができるだけでなく、内部導体が断線するといった問題が生じることがなくなる。また第１及び第２の溝部に隣接して設けた第１及び第２の周壁延長部を設けたので、コード巻き付け部に巻かれたコードが元の状態に戻ることを第１及び第２の周壁延長部により阻止することができる。そのため第１及び第２の溝部とコードの嵌合状態を、コードの内部導体に大きなストレスを与えない程度にしても、コードの第１及び第２の非巻回部が第１及び第２の溝部から簡単に外れることがなくなる。そのため簡単な巻回動作と嵌合動作を行うだけで、余分なコードを簡単に巻き取ることができる。
【００１３】
第１の溝部の形状としては、第２の仮想平面と平行に延び且つ第１の溝部の中心を通る第３の仮想平面を仮想したときに、第３の仮想平面の両側に位置して第１の溝部を囲む一対の溝壁面が第３の仮想平面に沿うように形成するのが好ましい。また第２の溝部の形状も、第２の仮想平面と平行に延び且つ第２の溝部の中心を通る第４の仮想平面を仮想したときに、第４の仮想平面の両側に位置して第２の溝部を囲む一対の溝壁面が第４の仮想平面に沿うように形成するのが好ましい。このように第１及び第２の溝部の形状を定めると、コードの第１及び第２の非巻回部をスムーズに第１及び第２の溝部に嵌合することができる。またコードの第１及び第２の非巻回部に加わるストレスを極力小さいものとすることができる。
【００１４】
なお第１及び第２の溝部の位置は、第２の仮想平面よりも仮想中心線から見て外側に位置して第２の仮想平面と平行に延び且つ収納空間の外面に対する接平面となる第５の仮想平面を仮想したときに、前述の第３の仮想平面及び第４の仮想平面が、第２の仮想平面と第５の仮想平面との間の中央領域に位置するのが好ましい。中央領域とは、完全な中央位置を含んで所定の幅を持った領域である。このような中央領域を通る第３の仮想平面及び第４の仮想平面に沿って第１及び第２の溝部を形成すれば、コードの巻回数が少ない場合、または巻回数が多い場合のいずれにおいても第１及び第２の溝部に嵌合されるコードに大きな変形を加える必要がなくなる。
【００１５】
なお第３の仮想平面と第４の仮想平面とが一致するように、第１の溝部及び第２の溝部を形成してもよい。この場合には、第１の溝部と第２の溝部とが直線的に並ぶことになる。その結果、コードリールから延び出るコードの部分も直線的に並ぶことになり、外観上のバランスがよくなる。なお一致する第３の仮想平面と第４の仮想平面を、中央領域の中心に位置させると、バランスがよくなる。
【００１６】
また第１の周壁延長部及び第２の周壁延長部は、仮想直交平面を越えて延ばしてもよい。このように第１の周壁延長部及び第２の周壁延長部の長さを長くすると、第１の周壁延長部及び第２の周壁延長部がコードと接触する長さが長くなって、コードがさらに溝部から外れ難くなる。
【００１７】
また第１の周壁延長部及び第２の周壁延長部は、両者の間にコードが通る一定幅寸法の間隙部分を形成するようにそれぞれの形状を定めるのが好ましい。このようにすればコードをコード巻き付け部に巻き付ける際に、無理な力をコードに加えることなく、スムーズにコードを巻き付けることができる。なおこの一定幅寸法は、コードの最大幅寸法よりも僅かに大きく定めるのが好ましい。このようにすればコードを間隙に無理なく挿入することができて、しかもコードがこの間隙から抜け出難くなる。
【００１８】
また第１の溝部を囲む一対の溝壁面の一つと第１の周壁延長部の第１の溝部側の側面とを、段差を形成しないように連続させるのが好ましい。同様に、第２の溝部を囲む一対の溝壁面の一つと第２の周壁延長部の第２の溝部側の側面とを、段差を形成しないように連続させるのが好ましい。このような構成を採用すると、第１及び第２の溝部の深さをあまり深くしなくても、第１及び第２の周辺延長部の側面の一部がコードに無理なストレスを加えることなくコードの外面と接触し、コードが溝部から抜け出るのを効果的に抑制する。特に、第１及び第２の溝部の深さ寸法と第１及び第２の周壁延長部の側面の高さ寸法とを加算した値が、コードの最大幅寸法よりも大きな値になるように、深さ寸法及び高さ寸法を定めるのが好ましい。このようにすれば、より確実に、コードが溝部から抜け出るのを抑制することができる。
【００１９】
なおコード巻き付部は円筒状または円柱状を呈しているのが好ましい。そして仮想中心線が延びる方向から見た第１の鍔部及び第２の鍔部の輪郭形状が、それぞれ実質的に円形になるように、第１の鍔部及び第２の鍔部の形状を定めてもよい。このようにすると第１及び第２の鍔部の外形に角がないため、使用時のコードリールの姿勢がどのようなものであっても、特に見る者が違和感を感じることがなくなる。
【発明の効果】
【００２０】
本発明によれば、第１の溝部及び第１の周壁延長部並びに第２の溝部及び第２の周壁延長部を、共に仮想中心線から見て第２の仮想平面もよりも外側に形成したので、コードの第１及び第２の非巻回部がそれぞれ上下方向に延びる状態で使用されたときに、上下方向に延びるコードは、コード巻き付け部の中心を通ることがなくなる。その結果、コード巻回部から連続して延びるコードの第１及び第２の非巻回部を第１及び第２の溝部に嵌合させるまでの間における第１及び第２の非巻回部の形状をコードの内部導体に無理なストレスが加わるような形状にする必要がなくなる。よって本発明のコードリールを使用した場合には、簡単にコードを巻き付けることができるだけでなく、内部導体が断線するといった問題が生じることがなくなる利点が得られる。また本発明では、第１及び第２の溝部に隣接して設けた第１及び第２の周壁延長部を設けたので、コード巻き付け部に巻かれたコードが元の状態に戻ることを第１及び第２の周壁延長部により阻止することができ、第１及び第２の溝部とコードの嵌合状態を、コードの内部導体に大きなストレスを与えない程度にしても、コードの第１及び第２の非巻回部が第１及び第２の溝部から簡単に外れることがなくなる利点が得られる。
【発明を実施するための最良の形態】
【００２１】
以下図面を参照して本発明のコードリールの一実施の形態を詳細に説明する。図１は、イヤホーンのコードに対して、本実施の形態のコードリールを使用した状態を示す図である。図１に示すように、長いコード３の場合でも、コードリール１を使用すれば、余剰のコード３を適宜の長さにすることができる。図２は、コードリール１にコード３が巻き付けられた状態のコードリール１の斜視図である。また図３は、図２に示す姿勢において、コードリール１にコード３が巻かれた状態のコードリール１を右側から見た図を示している。但し図２及び図３において、コード３は破線で示してある。また図４及び図５は、図３に示されたコードリール１の状態を正面とした場合の、コードリール１の右側面図及びコードリール１の背面図である。そして図６（Ａ）は、図３のコードリール１をコード３を省略して示した図であり、図６（Ｂ）及び（Ｃ）は、図６（Ａ）の姿勢のコードリール１をＡ−Ａ線で断面にして示した図及びＢ−Ｂ線で断面にして示した図である。また図７（Ａ）は、図３のコードリール１を図６（Ａ）と同様に示した図であり、図７（Ｂ）及び（Ｃ）は、図７（Ａ）の姿勢のコードリール１をＣ−Ｃ線で断面にして示した図及びＤ−Ｄ線で断面にして示した図である。
【００２２】
図２乃至図７に示す本実施の形態のコードリール１は、コード３が巻き付けられる外周面に角部を有しないコード巻き付部５と、このコード巻き付け部５の両端部に設けられた第１及び第２の鍔部７及び９とを有している。本実施の形態のコードリール１のコード巻き付け部５と第１及び第２の鍔部７及び９とは、プラスチックにより成形されている。
【００２３】
本実施例のコード巻き付け部５の外周面は円筒面になっている。なおコード巻き付け部５は、図６（Ｂ）及び（Ｃ）並びに図７（Ｂ）及び（Ｃ）に示すように、二重構造になっている。すなわちコード巻き付け部５は、第１の鍔部７の後述する第１の本体壁部２５に一端が一体に固定されたキー溝１１付きの円筒部１３の内部空間に、一端が第２の鍔部９の後述する第２の本体壁部３３に固定されたキー１５付きの円柱部１７が嵌合されて構成されている。キー溝１１とキー１５との組み合わせにより、第１の鍔部７と第２の鍔部９との位置関係は、常に固定された状態になる。したがって製造が容易になる上、組立間違いが発生することがない。
【００２４】
そしてコードリール１は、第１及び第２の鍔部７及び９の間に、コード巻き付け部５に巻き付けられたコード３を収納する収納空間１０を備えている。また第１及び第２の鍔部７及び９には、第１及び第２の係止構造２１及び２３が設けられている。
【００２５】
第１の鍔部７は、図７に示すように、コード巻き付け部５を構成する円筒部１３の端部とつながる第１の本体壁部２５と、この第１の本体壁部２５の外周部分から第２の鍔部９が位置する方向に延びる第１の周壁部２７とを有している。第１の本体壁部２５は、外表面が湾曲した皿形状を有している。第１の鍔部７の第１の周壁部２７は、後述する第２の鍔部９の第２の周壁部３５との間に、コード３が挿入されるまたはコード３が引き出される環状の間隙１９を形成する。
【００２６】
そして第１の係止構造２１は、第１の周壁部２７に設けられている。図２及び図３に示すように、第１の係止構造２１は、コード巻き付部５にコード３が巻き付けられて形成されて収納空間１０に収納されたコード巻回部３Ａに連続するコード３の第１の非巻回部３Ｂを、第１の鍔部７に係止した状態で収納空間１０の外部に導出させるように構成されている。第１の係止構造２１は、第１の溝部２９と第１の周壁延長部３１とを備えている。第１の溝部２９は、収納空間１０、コードリール１の外部空間及び環状の間隙１９に向かって開口するように第１の周壁部２７に形成されている。そして第１の溝部２９の形状は、コード３の第１の非巻回部３Ｂが嵌合される構造を有している。なお第１の溝部２９の形状については、後に詳しく説明する。
【００２７】
第１の周壁延長部３１は、第１の溝部２９に隣接して設けられている。第１の周壁延長部３１は、コード３をコード巻き付け部５に巻き付ける際の障害にならない程度の長さで、第１の周壁部２７から第２の鍔部９側に延びている。そしてこの例では、第１の周壁延長部３１は、コード巻き付け部５の両端を通る仮想中心線ＣＬ（図３）を含む後に詳しく説明する仮想直交平面ＢＲＳを越える位置まで延びている。そして図３に示すように、第１の溝部２９を囲む一対の溝壁面２９Ａ及び２９Ｂのうちの一つの溝壁面２９Ａと第１の周壁延長部３１の第１の溝部２９側の側面３１Ａとは、両者の間に段差を形成しないように連続している。例えばスロープ状に形成されている。このような構成を採用すると、第１の溝部２９の深さをあまり深くしなくても、第１の周辺延長部３１の側面３１Ａの一部がコード３に無理なストレスを加えることなくコード３の外面と接触し、コード３が溝部２９から抜け出るのを効果的に抑制する。なおこの例では、第１の溝部２９の深さ寸法と第１の周壁延長部３１の側面３１Ａの高さ寸法とを加算した値が、コード３の最大幅寸法（コードの断面形状が円形になるコードの場合には直径寸法）よりも大きな値になるように、深さ寸法及び高さ寸法を定めている。
【００２８】
また第２の鍔部９は、コード巻き付け部５の端部（キー１５付き円柱部１７）とつながる第２の本体壁部３３と、この第２の本体壁部３３の外周部分から第１の周壁部２７との間に第１の鍔部７が位置する方向に延びる第２の周壁部３５とを有している。第２の鍔部９の第２の周壁部３５に、第２の係止構造２３が形成されている。第２の係止構造２３は、コード巻回部３Ａに連続し且つコード３の第１の非巻回部３Ｂとは反対側にある第２の非巻回部３Ｃを第２の鍔部９に係止した状態で収納空間１０の外部に導出させるように構成されている。第２の係止構造２３は、第２の溝部３７と第２の周壁延長部３９とを備えている。第２の溝部３７も、第１の溝部２９と同様に、収納空間１０、コードリール１の外部空間及び環状の間隙１９に向かって開口するように第２の周壁部３５に形成されている。そして、第２の溝部３７も、コード３の第２の非巻回部３Ｃが嵌合される構造を有している。
【００２９】
また第２の周壁延長部３９は、第２の溝部３７に隣接して設けられている。そして第２の周壁延長部３９は、コード３をコード巻き付け部５に巻き付ける際の障害にならない程度の長さだけ、第２の周壁部３５から第１の鍔部７側に延びている。また第２の周壁延長部３９は、第１の周壁延長部３１と同様に、仮想直行平面ＢＲＳを越える位置まで延びている。また図３に示すように、第２の溝部３７を囲む一対の溝壁面３７Ａ及び３７Ｂの一つの溝壁面３７Ａと第２の周壁延長部３９の第２の溝部３７側の側面３９Ａとは、両者の間に段差を形成しないように連続して形成されている。例えばスロープ状に形成されている。そして第２の溝部３７の深さ寸法と側面３９Ａの高さ寸法も、第２の溝部３７の深さ寸法と側面３９Ａの高さ寸法とを加算した値が、コード３の最大幅寸法（コードの断面形状が円形になるコードの場合には直径寸法）よりも大きな値になるように、深さ寸法及び高さ寸法を定めている。
【００３０】
図３、図６及び図７によく示されるように、第１の周壁延長部３１及び第２の周壁延長部３９の形状は、両者の間にコード３が通る一定幅寸法の間隙部分４１を形成するようにそれぞれの形状を定められている。本実施の形態では、第１の周壁延長部３１及び第２の周壁延長部３９の形状は、互いに対向する前まで相手鍔部側（第２の鍔部９及び第１の鍔部７側）への突出寸法は一定である。そして第１の周壁延長部３１及び第２の周壁延長部３９が互いに対向する領域では、対向する部分間に一定幅寸法の間隙部分４１を形成するように、徐々に相手鍔部側に向かって延びる突出寸法が小さくなるような形状を、第１の周壁延長部３１及び第２の周壁延長部３９はそれぞれ有している。このようにすればコード３をコード巻き付け部５に巻き付ける際に、無理な力をコードに加えることなく、スムーズにコードを巻き付けることができる。なおこの間隙部分４１の一定幅寸法は、コード３の最大幅寸法（コードの断面形状が円形であれば直径寸法）よりも僅かに大きく定めるのが好ましい。このようにすればコード３を間隙部分４１に無理なく挿入することができて、しかもコード３がこの間隙部分４１から抜け出難くなる。
【００３１】
次に第１及び第２の溝部２９及び３７の位置及び形状の定め方について、図４及び図８を用いて説明する。なお図８には第１の鍔部７は図示していない。まずこれらを定めるためには、コード巻き付け部５の両端部を通るコード巻き付け部５の仮想中心線ＣＬを仮想する。次にこの仮想中心線ＣＬを含み且つ第１の鍔部７及び第２の鍔部９を横切る第１の仮想平面ＢＳ１を仮想する。さらに第１の仮想平面ＢＳ１と平行に延び且つコード巻き付け部５の外周面と接触し且つ第１の鍔部７及び第２の鍔部９を横切る第２の仮想平面ＢＳ２を仮想する。このように仮想した状態において、本実施の形態では、第１の溝部２９及び第１の周壁延長部３１並びに第２の溝部３７及び第２の周壁延長部３９を、共に仮想中心線ＣＬから見て第２の仮想平面ＢＳ２もよりも外側に形成する。
【００３２】
また図８に示すように、仮想中心線ＣＬを含み第１及び第２の仮想平面ＢＳ１及びＢＳ２と直交する仮想直交平面ＢＲＳを仮想したときに、第１の溝部２９及び第２の溝部３７を仮想直交平面ＢＲＳが間に位置するように配置する。言い換えると、第１の溝部２９及び第２の溝部３７を仮想直交平面ＢＲＳの両側に別々に配置する。そして第１の溝部２９及び第２の溝部３７を、第１の溝部２９に嵌合されたコード３の第１の非巻回部３Ｂが、収納空間１０から外部空間に向かって延び出る方向と、第２の溝部３７に嵌合されたコード３の第２の非巻回部３Ｃが収納空間１０から外部空間に向かって延び出る方向とが、仮想直交平面ＢＲＳを基準にして逆向きになるように形成する。
【００３３】
このようにして形成したコードリール１によれば、第１の溝部２９及び第１の周壁延長部３１並びに第２の溝部３７及び第２の周壁延長部３９を、共に仮想中心線ＣＬから見て第２の仮想平面ＢＳ２もよりも外側に形成したことにより、コード３の第１及び第２の非巻回部３Ｂ及び３Ｃがそれぞれ上下方向に延びる状態で使用されたときに、上下方向に延びるコード３は、コード巻き付け部５の中心を通ることがなくなる。そのため、コード巻回部３Ａから連続して延びるコード３の第１及び第２の非巻回部３Ｂ及び３Ｃを第１及び第２の溝部２９及び３７に嵌合させるまでの間に位置する第１及び第２の非巻回部３Ｂ及び３Ｃの形状を、コード３の内部導体に無理なストレスが加わるような形状に変形する必要が無くなる。すなわちコード３の第１及び第２の非巻回部３Ｂ及び３Ｃを大きな曲率で曲げることなく、内部空間から外部空間へとコード３を導き出すことができる。その結果、このコードリール１を使用した場合には、簡単にコード３をコード巻き付け部５に巻き付けることができるだけでなく、内部導体が断線するといった問題が生じることがなくなる。また第１及び第２の溝部２９及び３７に隣接して設けた第１及び第２の周壁延長部３１及び３９を設けたので、コード巻き付け部５に巻かれたコード３が元の状態に戻ることを第１及び第２の周壁延長部３１及び３９により阻止することができる。そのため第１及び第２の溝部２９及び３７とコード３の嵌合状態を、コード３の内部導体に大きなストレスを与えない程度にしても、非巻回部３Ｂ及び３Ｃが第１及び第２の溝部２９及び３７から簡単に外れることがなくなる。
【００３４】
次に第１の溝部２９及び第２の溝部３７の形状について説明する。但し図４及び図８には、第２の溝部３７だけが示されているので、代表して第２の溝部３７について説明する。なお第１の溝部２９に関する理解を容易にするために、以下の説明中において、第１の溝部２９及び第１の溝部２９に対応して仮想される第３の仮想平面ＢＳ３については、カッコを付して併記する場合がある。まず第２の仮想平面ＢＳ２と平行に延び且つ第２の溝部３７（第１の溝部２９）の中心を通る第４の仮想平面ＢＳ４（第１の溝部２９の場合には第３の仮想平面ＢＳ３）を仮想する。そして第４の仮想平面ＢＳ４の両側に位置して第２の溝部３７を囲む一対の溝壁面３７Ａ及び３７Ｂが、第４の仮想平面ＢＳ４に沿うように第２の溝部３７を形成するのが好ましい。一対の溝壁面３７Ａ及び３７Ｂを、第４の仮想平面ＢＳ４に沿うようにすることは、両者が第４の仮想平面ＢＳ４に平行に沿う場合に限定されるものではない。しかしながら、設計の関係からは、平行に沿うようにするのが好ましい。なお第１の溝部２９の形状は、図７（Ｂ）に示すように、第２の仮想平面ＢＳ２と平行に延び且つ第１の溝部２９の中心を通る第３の仮想平面ＢＳ３を仮想して、第２の溝部３７と同様に形成すればよい。このように第１及び第２の溝部２９及び３７の形状を定めると、コード３の第１及び第２の非巻回部３Ａ及び３Ｂをスムーズに第１及び第２の溝部２９及び３７に嵌合することができる。またコード３の第１及び第２の非巻回部３Ａ及び３Ｂに加わるストレスを極力小さいものとすることができる。
【００３５】
なお第１及び第２の溝部２９及び３７の位置は、仮想中心線ＣＬから見て第２の仮想平面ＢＳ２よりも外側に位置して第２の仮想平面ＢＳ２と平行に延び且つ収納空間１０の外面に対する接平面となる第５の仮想平面ＢＳ５を仮想したときに、前述の第３の仮想平面ＢＳ３及び第４の仮想平面ＢＳ４が、第２の仮想平面ＢＳ２と第５の仮想平面ＢＳ５との間の中央領域に位置するのが好ましい。ここで中央領域とは、第２の仮想平面ＢＳ２と第５の仮想平面ＢＳ５との間の完全な中央位置を含んで所定の幅を持った領域である。このような中央領域を通る第３の仮想平面ＢＳ３及び第４の仮想平面ＢＳ４に沿って第１及び第２の溝部２９及び３７を形成すれば、コード３の巻回数が少ない場合、または巻回数が多い場合のいずれにおいても第１及び第２の溝部２９及び３７に嵌合されるコードに大きな変形を加える必要がなくなる。
【００３６】
なお第３の仮想平面ＢＳ３と第４の仮想平面ＢＳ４とが一致するように、第１の溝部２９及び第２の溝部３７を形成してもよい。この場合には、第１の溝部２９と第２の溝部３７とが直線的に並ぶことになる。その結果、コードリール１から延び出るコード３の部分も直線的に並ぶことになり、外観上のバランスがよくなる。なお一致する第３の仮想平面と第４の仮想平面を、中央領域の中心に位置させると、バランスがよくなる。
【００３７】
なお種々のサンプルを作成した結果、現状では、仮想中心線ＣＬから第１及び第２の鍔部７及び９の半径寸法の約２／３の位置に、第３及び第４の仮想平面ＢＳ３及びＢＳ４を共通する１つの仮想平面として仮想して、第１及び第２の溝部２９及び３７を形成するのが、バランス的に好ましいことが判った。但し、本発明が、この好ましいサンプルに限定されるものではないことは勿論である。
【００３８】
なお上記実施の形態では、コード巻き付部５の外周面は円筒面形状を呈しているが、この外周面は角部がない形状であればよく、円筒面形状に限定されるものではない。また上記実施の形態では、仮想中心線ＣＬが延びる方向から見た第１の鍔部７及び第２の鍔部９の輪郭形状が、それぞれ実質的に円形になっている。しかしながらこの形状も本実施の形態に限定されるものではなく、第１の鍔部及び第２の鍔部の形状を他の形状に定めてもよいのは勿論である。
【図面の簡単な説明】
【００３９】
【図１】イヤホーンのコードに対して、本実施の形態のコードリールを使用した状態を示す図である。
【図２】コードリールにコードが巻き付けられた状態のコードリールの斜視図である。
【図３】図２に示す姿勢において、コードリールにコードが巻かれた状態のコードリールを右側から見た図である。
【図４】図３に示されたコードリールの状態を正面とした場合の、コードリールの右側面図である。
【図５】図３に示されたコードリールの状態を正面とした場合の、コードリールの背側面図である。
【図６】（Ａ）は、図３のコードリールをコードを省略して示した図であり、（Ｂ）及び（Ｃ）は、（Ａ）の姿勢のコードリールをＡ−Ａ線で断面にして示した図とＢ−Ｂ線で断面にして示した図である。
【図７】（Ａ）は、図３のコードリールを図６（Ａ）と同様に示した図であり、（Ｂ）及び（Ｃ）は、（Ａ）の姿勢のコードリールをＣ−Ｃ線で断面にして示した図とＤ−Ｄ線で断面にして示した図である。
【図８】第１及び第２の溝部の位置を説明するために用いる図である。
【符号の説明】
【００４０】
１  コードリール
３  コード
５  コード巻き付け部
７  第１の鍔部
９  第２の鍔部
１０  収納空間
１９  環状の間隙
２１  第１の係止構造
２３  第２の係止構造
２５  第１の本体壁部
２７  第１の周壁部
２９  第１の溝部
３１  第１の周壁延長部
３３  第２の本体壁部
３５  第２の周壁部
３７  第２の溝部
３９  第２の周壁延長部
４１  間隙部分
【手続補正３】
【補正対象書類名】図面
【補正対象項目名】全図
【補正方法】変更
【補正の内容】
【図１】
2007269410.tif 000001
【図２】
2007269410.tif 000002
【図３】
2007269410.tif 000003
【図４】
2007269410.tif 000004
【図５】
2007269410.tif 000005
【図６】
2007269410.tif 000006
【図７】
2007269410.tif 000007
【図８】
2007269410.tif 000008